(57)【特許請求の範囲】
【請求項１】
横方向両側端部に位置して植立作物の根元部分に作用して分草する左右一対のデバイダと、前記左右一対のデバイダにて分草された刈取対象作物を刈り取る刈取装置とを有する刈取ヘッダと、
前記刈取ヘッダの上方に位置する状態で、横向き軸芯周りで回転して前記刈取対象作物を後方に掻き込む回転リールと、
が機体前部に備えられ、
前記一対のデバイダのうちの未刈り領域側に位置するデバイダの上方に位置して、上下方向並びに前後方向夫々に幅広の案内面を有する分草部材が備えられ、
前記分草部材の前上部は、前記回転リールの前端部に対応する箇所から前下がりの傾斜形状に形成され、かつ、前記分草部材の前下部は、前記デバイダよりも前側の箇所から前上がりの傾斜形状に形成され、
機体を走行させながら前記刈取ヘッダが植立作物を刈り取る刈取作業状態において、前記分草部材の機体前部側端縁における上下中央部が、上下両側端部よりも前方へ突出し、
前記分草部材が前記刈取ヘッダに支持されている普通型コンバイン。
【請求項２】
前記分草部材は透過性を有する請求項１記載の普通型コンバイン。
【請求項３】
刈取フレームの側壁部の上部に位置して、上下方向及び前後方向に幅広な案内面を有するガイド板と、前記分草部材の後部と前記ガイド板とに亘るガイド部材と、が備えられている請求項１又は２記載の普通型コンバイン。
【請求項４】
前記分草部材は、側面視において、前記回転リールの前端部と重複し、
前記ガイド板の前部は、側面視において、前記回転リールと重複している請求項３記載の普通型コンバイン。
【請求項５】
前記回転リールは、
横向きの回転支軸と、前記回転支軸から径方向に離間するとともに周方向に間隔をあけて備えられた複数の横向き長尺状の保持部材と、前記保持部材に装着された複数の掻き込み爪と、横方向両側端部にて前記回転支軸と前記各保持部材とを連結する複数の連結アームと、前記連結アームよりも横方向外側に位置して、前記連結アーム同士の間の隙間を覆う複数のカバー部材とを備え、
前記回転リールの回転方向にて隣り合う前記カバー部材は、前記連結アームの横外側において、先行する前記カバー部材が後行する前記カバー部材よりも横方向外側に位置する状態で、重ね合されている請求項１〜４のいずれか１項に記載の普通型コンバイン。
【請求項６】
前記カバー部材は透過性を有する請求項５記載の普通型コンバイン。
【請求項７】
前記分草部材及び前記刈取ヘッダよりも横方向外方側箇所において、側面視にて前記刈取ヘッダよりも上方側に位置する状態で、且つ、前記分草部材の前部側箇所から前記刈取ヘッダの後部側箇所にまで延びる状態で、未刈作物を分草案内する分草杆が備えられ、
前記分草杆の前端部が、前記分草部材の前下部に支持されている請求項１〜６のいずれか１項に記載の普通型コンバイン。
【請求項８】
前記分草杆は、上下方向に位置を異ならせて複数備えられている請求項７記載の普通型コンバイン。
【発明の詳細な説明】
【技術分野】
【０００１】
本発明は、機体前部に植立作物を刈り取る刈取ヘッダが備えられた普通型コンバインに関する。
【背景技術】
【０００２】
普通型コンバインは、機体前部に植立作物を刈り取る刈取ヘッダが備えられ、この刈取ヘッダには、横方向両側端部に位置して植立作物の根元部分に作用して分草する左右一対のデバイダが備えられている。そして、左右一対のデバイダによって挟まれた刈取対象領域内にある植立作物を刈取対象作物として刈り取るようになっている（例えば、特許文献１参照）。
【先行技術文献】
【特許文献】
【０００３】
【特許文献１】特開２０１２−２４４９２４号公報
【発明の概要】
【発明が解決しようとする課題】
【０００４】
刈取対象作物が稲や麦であるときは、隣接する条の作物同士は分離された状態となっており、左右一対のデバイダの分草作用により、未刈り領域に残される非刈取対象作物（未刈作物）と刈取対象作物とを分草することができる。しかし、刈取対象作物として、例えば、蕎麦やハト麦等を刈り取る場合には、左右一対のデバイダが植立作物の根元部分に作用して分草するようにしても、根元部分よりも上側の茎葉部分において隣接する条の作物同士が絡み合った状態になることがあり、根元部分に作用するデバイダだけでは、刈取対象作物と未刈作物とを分草案内させ難いものとなっていた。その結果、刈取対象作物と未刈作物とが絡み合ったまま刈取作業が行われて、刈取作業に伴って強い力で引き千切られて作物が傷ついたり、刈取ヘッダが損傷する等、良好な収穫作業を行えないものとなるおそれがある。
【０００５】
そこで、作物同士が絡み合っている場合であっても、刈取対象作物を分草して良好な収穫作業を行えるようにすることが望まれていた。
【課題を解決するための手段】
【０００６】
本発明に係る普通型コンバインの特徴構成は、横方向両側端部に位置して植立作物の根元部分に作用して分草する左右一対のデバイダと、前記左右一対のデバイダにて分草された刈取対象作物を刈り取る刈取装置とを有する刈取ヘッダと、前記刈取ヘッダの上方に位置する状態で、横向き軸芯周りで回転して前記刈取対象作物を後方に掻き込む回転リールと、が機体前部に備えられ、前記一対のデバイダのうちの未刈り領域側に位置するデバイダの上方に位置して、上下方向並びに前後方向夫々に幅広の案内面を有する分草部材が備えられ、前記分草部材の前上部は、前記回転リールの前端部に対応する箇所から前下がりの傾斜形状に形成され、かつ、前記分草部材の前下部は、前記デバイダよりも前側の箇所から前上がりの傾斜形状に形成され、機体を走行させながら前記刈取ヘッダが植立作物を刈り取る刈取作業状態において、前記分草部材の機体前部側端縁における上下中央部が、上下両側端部よりも前方へ突出し、前記分草部材が前記刈取ヘッダに支持されている点にある。
【０００７】
本発明によれば、刈取作業に伴って、左右一対備えられたデバイダが植立作物の根元部分に作用して刈取対象作物と未刈作物とに分草して、デバイダにより分草された刈取対象作物が刈取装置によって刈り取られる。そして、その刈取作業の際に、未刈作物と刈取対象作物との間で、根元部分よりも上側の茎葉部分において作物同士が絡み合った状態になっていても、未刈り領域側に位置するデバイダの上方に位置する分草部材によって絡み合っている作物同士を梳き分けて絡み合いを解除して分離させることができる。分草部材は、上下方向並びに前後方向夫々に幅広の案内面を有するので、絡み合った作物に対して広い範囲で梳き分けるように作用して良好に絡み合いを解除して分離させることができる。
また、本構成によれば、刈取作業状態において、分草部材の機体前部側端縁における上下中間部が上下両側端部よりも前方へ突出しているので、分草部材は、植立作物の根元部分よりも上側の茎葉部分に対して梳き分けるように作用することになり、茎葉部分における作物同士の絡み合いを分離させ易い。
【０００８】
従って、作物同士が絡み合っている場合であっても、刈取対象作物を分草して良好な収穫作業を行えるようにすることが可能な普通型コンバインを提供できるに至った。
【０００９】
本発明においては、前記分草部材は透過性を有すると好適である。
【００１０】
本構成によれば、分草部材は、幅広の案内面を有することにより作物の絡み合いを有効に分離させることができるものでありながら、透過性を有するので、機体の運転部から目視している運転者が、分草部材の機体横幅方向外方側の作物の状況を確認することができ、分草部材による分草作用状態を目視にて確認し易いものとなる。
【００１１】
本発明においては、刈取フレームの側壁部の上部に位置して、上下方向及び前後方向に幅広な案内面を有するガイド板と、前記分草部材の後部と前記ガイド板とに亘るガイド部材と、が備えられていると好適である。
【００１２】
【００１３】
本発明においては、前記分草部材は、側面視において、前記回転リールの前端部と重複し、前記ガイド板の前部は、側面視において、前記回転リールと重複していると好適である。
【００１４】
本構成によれば、デバイダにより分草された刈取対象作物が刈取ヘッダの上方に位置する回転リールによって後方に掻き込まれる。分草部材は、側面視において回転リールの前端部と重複しているので、回転リールによる掻き込み作用と分草部材による梳き分け作用との協働によって、茎葉部分における未刈作物と刈取対象作物との絡み合いをより一層良好に分離させ易いものとなる。
【００１５】
本発明においては、前記回転リールは、横向きの回転支軸と、前記回転支軸から径方向に離間するとともに周方向に間隔をあけて備えられた複数の横向き長尺状の保持部材と、前記保持部材に装着された複数の掻き込み爪と、横方向両側端部にて前記回転支軸と前記各保持部材とを連結する複数の連結アームと、前記連結アームよりも横方向外側に位置して、前記連結アーム同士の間の隙間を覆う複数のカバー部材とを備え、前記回転リールの回転方向にて隣り合う前記カバー部材は、前記連結アームの横外側において、先行する前記カバー部材が後行する前記カバー部材よりも横方向外側に位置する状態で、重ね合されていると好適である。
【００１６】
本構成によれば、回転リールは、回転支軸が回転することにより、回転支軸に連結アームを介して連結された複数の保持部材が回転支軸の軸芯周りで回転して、保持部材に備えられた掻き込み爪にて作物を掻き込むことができる。そして、複数の連結アーム同士の間の隙間をカバー部材によって覆うようにしたので、回転リールの回転操作に伴って、未刈作物が複数の連結アーム同士の間の隙間に入り込んで絡みつくことを回避できる。
【００１７】
本発明においては、前記カバー部材が透過性を有すると好適である。
【００１８】
本構成によれば、カバー部材は、作物の絡みつきを有効に回避できるものでありながら、透過性を有するので、機体の運転部から目視している運転者が、カバー部材の機体横幅方向外方側の作物を確認することができ、カバー部材による作物の案内状況を目視にて確認し易いものとなる。
【００１９】
本発明においては、前記分草部材及び前記刈取ヘッダよりも横方向外方側箇所において、側面視にて前記刈取ヘッダよりも上方側に位置する状態で、且つ、前記分草部材の前部側箇所から前記刈取ヘッダの後部側箇所にまで延びる状態で、未刈作物を分草案内する分草杆が備えられ、前記分草杆の前端部が、前記分草部材の前下部に支持されていると好適である。
【００２０】
本構成によれば、分草部材によって刈取対象作物と分離された未刈作物の茎葉部分が、分草部材に続いて分草杆によって刈取ヘッダの後部側箇所にまで分草案内される。その結果、分草部材によって分草された未刈作物が、分草部材の機体後方側箇所にて案内作用が無くなったのちに、機体内方側に揺れ戻されて刈取ヘッダに入り込んで絡み付くことを防止することができる。
【００２１】
本発明においては、前記分草杆は上下方向に位置を異ならせて複数備えられていると好適である。
【００２２】
本構成によれば、上下に並ぶ状態で複数備えられた分草杆によって未刈作物の上下複数箇所に案内作用することで、未刈作物の分草案内を確実に行うことができる。
【図面の簡単な説明】
【００２３】
【図１】普通型コンバインの全体側面図である。
【図２】普通型コンバインの全体平面図である。
【図３】脱穀装置の縦断側面図である。
【図４】刈取搬送部の側面図である。
【図５】刈取搬送部の平面図である。
【図６】回転リールの側面図である。
【図７】分草部材の側面図である。
【図８】刈取搬送部の一部切欠平面図である。
【図９】支持部材の装着状態を示す平面図である。
【図１０】ラジエータまわりの支持構造を示す斜視図である。
【図１１】外側構造体を取り外した状態のラジエータまわりの支持構造を示す斜視図である。
【図１２】外側構造体の支持構造を示す縦断側面図である。
【図１３】外側構造体の支持構造を示す縦断正面図である。
【図１４】揚送コンベヤの上部の縦断左側面図である。
【図１５】揚送コンベヤの横断平面図である。
【図１６】揚送コンベヤの上部の側面図である。
【図１７】グレンシーブの縦断側面図である。
【図１８】グレンシーブの縦断背面図である。
【図１９】グレンシーブの着脱状態を示す斜視図である。
【図２０】穀粒タンクの側面図である。
【図２１】別実施形態の揚送コンベアの駆動構造を示す右側面図である。
【図２２】別実施形態の揚送コンベアの駆動構造を示す背面図である。
【発明を実施するための形態】
【００２４】
以下、図面に基づいて、本発明に係る普通型コンバインの実施形態を説明する。
【００２５】
〔全体構成〕
図１，２に示すように、普通型コンバインは、走行車体１の前部に走行に伴って収穫対象の植立作物を刈り取って後方に搬送する刈取搬送部２が昇降自在に備えられ、刈取搬送部２からの刈取穀稈を脱穀処理する脱穀装置３と、脱穀処理で得られた穀粒を貯留する穀粒タンク４とが、左右に並ぶ状態で走行車体１に搭載されている。又、穀粒タンク４に貯留される穀粒を機外に排出するための穀粒排出装置５が備えられている。このコンバインの刈取対象作物としては、稲、麦の他、大豆、蕎麦、ハト麦等がある。
【００２６】
走行車体１は、車体フレーム６の下部に左右一対のクローラ式走行装置７を備え、車体フレーム６の前部右側領域に搭乗運転部８を備えており、この搭乗運転部８の上方がキャビン９にて覆われる構成となっている。
【００２７】
図３に示すように、脱穀装置３は、上部に刈取穀稈に扱き処理を施す脱穀部１０を備え、下側に脱穀部１０での扱き処理で得た選別対象の脱穀処理物に選別処理を施す選別部１１、及び、その選別処理で得た回収対象の脱穀処理物を回収する回収部１２を備えて構成されている。脱穀装置３の後端下部には、扱き処理に伴って脱穀部１０の排稈口１３から流出した脱粒穀稈や選別処理によって後方に搬出された長いワラ屑などを細断して機外に排出する細断装置１４を備えている。
【００２８】
脱穀部１０は、扱室１５の内部に、前後向きの扱胴軸１６を中心に回転することで刈取搬送部２からの刈取穀稈に扱き処理を施すバータイプの扱胴１７と、その下方に沿って配備される前後方向視Ｕ字状の受網１８とを備えている。
【００２９】
選別部１１は、受網１８から漏下した脱穀処理物を機体後方側に向けて移送しながら揺動選別する揺動選別機構１９、揺動選別機構１９に精選別用の選別風を供給する唐箕２０、揺動選別機構１９に粗選別用の選別風を供給する副唐箕２１、及び、揺動選別機構１９に二番物選別用の選別風を供給する二番唐箕２２などを備えている。
【００３０】
回収部１２は、揺動選別機構１９の下方に、揺動選別機構１９の前部側から漏下して唐箕２０からの選別風を受けながら流下する単粒化穀粒を一番物として回収する一番回収部２３と、枝梗付き穀粒等を二番物として回収する二番回収部２４とを備えている。
【００３１】
一番回収部２３には回収した一番物（穀粒）を左右方向一方側に搬送する一番搬送スクリュー２５が備えられ、この一番搬送スクリュー２５の搬送終端部には一番物を穀粒タンク４の上部に揚送するバケット式の揚送コンベヤ２６が連通状態で備えられている。
【００３２】
揺動選別機構１９は、後部下方側に備えた偏心カム式の駆動機構２７の作動で前後揺動するシーブケース２８を備え、そのシーブケース２８における上部側箇所に、粗選別用のグレンパン２９と、チャフシーブ３０と、ストローラック３１とを、その順でシーブケース２８の前端から後方に向けて連なる状態で備えられている。チャフシーブ３０やストローラック３１の下方側には、精選別用のグレンシーブ３２と、そのグレンシーブ３２と連なるように二番物選別用のチャフシーブ３３とが備えられている。
【００３３】
〔グレンシーブ〕
次に、グレンシーブ３２について説明する。
図１７〜図１９に示すように、グレンシーブ３２は、外周部を囲う枠体３４と、その枠体３４にて支持される穀粒漏下用の多孔状部材としてのクリンプ網３５とを備え、クリンプ網３５を押え板３６にて押えてボルト３７で締め付け固定することにより、ユニット状に組み付けられている。
【００３４】
ユニット状に組み付けられたグレンシーブ３２をシーブケース２８に対して着脱自在に装着することが可能な構成となっている。すなわち、図１９に示すように、シーブケース２８における左右方向一方側の側面２８Ａには、グレンシーブ３２を着脱させるための挿通孔３８が形成され、この挿通孔３８を蓋体３９にて覆うように構成されている。蓋体３９は、グレンシーブ３２における枠体３４にボルト４０で固定され、且つ、ボルト４１でシーブケース２８に固定される。
【００３５】
シーブケース２８には、グレンシーブ３２を挿通孔３８を通してグレンシーブ３２をスライド自在に案内する前後一対のガイドレール４２が備えられ、蓋体３９とグレンシーブ３２とを一体的にガイドレール４２に沿ってスライドさせて、シーブケース２８の横側外方に引き抜いたり、内方側に差し込んだりすることができるように構成されている。尚、図示はしていないが、グレンシーブ３２の着脱作業は、脱穀装置３の側壁に形成され且つ着脱自在な蓋体にて覆われる開口を通して行うことになる。
【００３６】
シーブケース２８のグレンシーブ３２の差し込み方向先端側の側面２８Ｂには、ケース内方側に向けて突出する一対の支持ピン４３が形成されており、グレンシーブ３２には、シーブケース２８に対して適正装着位置にスライドした状態において、各支持ピン４３に対してスライド移動方向に沿って挿脱自在に嵌まり合い係合する係合ボス部４４が形成されている。
【００３７】
シーブケース２８にグレンシーブ３２を装着するときは、蓋体３９をユニット状のグレンシーブ３２に固定している状態で、グレンシーブ３２を挿通孔３８を通して挿入して、前後一対のガイドレール４２によって受止めて案内しながら差し込み挿入し、係合ボス部４４を支持ピン４３に嵌め合い係合させて、蓋体３９の周囲４箇所をシーブケース２８の側面にボルト４１で固定する。グレンシーブ３２を取り外すときは、ボルト４１を取り外し、グレンシーブ３２を蓋体３９と一緒に、ガイドレール４２によって案内しながらシーブケース２８の外方に引き抜くことができる。  
【００３８】
シーブケース２８のグレンシーブ３２の差し込み方向先端側の側面２８Ｂには、グレンシーブ３２を差し込み装着するときに、グレンシーブ３２の浮き上がりを防止して、係合ボス部４４に支持ピン４３が適正に嵌め合い係合するように案内する案内部材４５が備えられている。
【００３９】
図１７，１９に示すように、案内部材４５は、前後方向の中央部に備えられ、板体を側面視で略Ｌ字形に折り曲げて形成されている。又、図１８に示すように、前後両側の下側の端縁が差し込み方向に沿って傾斜姿勢に形成され、グレンシーブ３２の先端部を下方側に案内する傾斜案内部４６を形成している。この傾斜案内部４６は、係合ボス部４４が支持ピン４３に嵌合する少し手前で終了し、その傾斜案内部４６の差し込み方向下手側には、係合ボス部４４が支持ピン４３に嵌合し易いように平坦案内部４７が形成されている。
【００４０】
〔揚送コンベヤ〕
次に、穀粒回収用のバケット式の揚送コンベヤ２６について説明する。
図１４，１５に示すように、揚送コンベヤ２６は、下部側が脱穀装置３の一番搬送スクリュー２５の出口部に連通し、上部側に排出口５０が形成された搬送ケース５１の内部に、適宜間隔をあけて搬送用のバケット５２が連結された無端回動チェーン５３が備えられている。この無端回動チェーン５３は、上部側の駆動軸５４に備えられた駆動スプロケット５５と下部側に備えられた従動スプロケット（図示せず）とに亘って回動自在に巻回されている。
【００４１】
上部側に位置する駆動軸５４を油圧モータ５６によって回転駆動することで、無端回動チェーン５３が回動し、それに伴って、バケット５２により穀粒を上方に搬送して穀粒タンク４に供給するように構成されている。又、駆動軸５４は左右一対の軸支部材５７により回動自在に支持されている。そして、図１５に示すように、左右一対の軸支部材５７は夫々、上下方向にスライド自在に係止具５８により支持されるとともに、ネジ式調節機構５９（図１６参照）によって上下位置を変更調整自在に構成されている。駆動軸５４の上下位置を変更調整することで、無端回動チェーン５３の張り具合を調整することができる。
【００４２】
図１４に示すように、搬送ケース５１の上端側ケース部分５１ａは、略Ｕ字状の移送経路を有する状態で形成されるとともに、揚送コンベヤ２６の機体後部の穀粒タンク４の上部に形成された開口６０に連通接続されている。この上端側ケース部分５１ａ内において、バケット５２が上向きに移動する状態から円弧状の経路を通過するときに、バケット５２に貯留している穀粒が開口６０を通して穀粒タンク４内に供給される。尚、揚送コンベヤ２６の無端回動チェーン５３は、油圧モータ５６によって一番搬送スクリュー２５の回動方向とは反対方向に回転駆動される構成となっている。
【００４３】
上端側ケース部分５１ａの上面部には、開閉操作自在な開閉部６１が形成されている。揚送コンベヤ２６の搬送出口で処理物が詰まった場合に、開閉部６１を開放して清掃作業を行うことができる。
【００４４】
穀粒タンク４は、内部の穀粒貯留状態を機体の横外側方に位置する補助作業者が目視で確認することができるようになっている。すなわち、図２０に示すように、穀粒タンク４の右外側部の前部側箇所に、外方側から穀粒タンク４の内部を目視可能な透視窓６２が上下に並ぶ状態で複数備えられている。図示はしないが、各透視窓６２は、夫々、穀粒タンク４に各別に形成された開口に対して、穀粒タンク４の内側から当て付けて周囲をリベットにて固定してあり、貯留する穀粒の荷重に対して充分な支持強度を確保するようになっている。
【００４５】
〔原動部のフレーム構造〕
次に、原動部のフレーム構造について説明する。
搭乗運転部８の下方後方側に原動部が備えられ、この原動部には、図１０に示すように、エンジンルームを搭乗運転部８の居住空間と区画して形成するエンジンボンネット６４が備えられ、エンジンボンネット６４の機体右横外側には防塵カバー（図示せず）が備えられている。エンジンルームには、図示はしていないがエンジンが備えられるとともに、ラジエータ６５及びオイルクーラ６６等が収容されている。
【００４６】
図１０，１１に示すように、ラジエータ６５は、側面視略矩形枠状のラジエータ支持体６７を介して車体フレーム６に支持されている。図示はしていないが、ラジエータ６５の下部が連結ピンとピン孔とで成る連結手段によってラジエータ支持体６７の下側枠部に支持され、ラジエータ６５の上部がラジエータ支持体６７の上側枠部に連結されている。ラジエータ支持体６７の下側に前後一対の脚部材６８を設け、この前後一対の脚部材６８を、車体フレーム６を構成する前後向きフレーム材６ａに設けた前後一対のステー６ｂ，６ｂに連結ボルトによって連結することにより、ラジエータ支持体６７が車体フレーム６に脱着自在に支持されている。
【００４７】
従って、ラジエータ６５は、ラジエータ支持体６７を車体フレーム６から取外すことにより、ラジエータ支持体６７と共に車体フレーム６から取外すことができる。
【００４８】
エンジンボンネット６４は、エンジンやラジエータ６５及びオイルクーラ６６を収容する部分を構成する内側構造体６９と、ラジエータ６５に対して機体右横外側に位置する部分を構成する外側構造体７０とを備えて構成されている。
【００４９】
内側構造体６９の機体右横側の上部に吸気口フレーム７１が備えられ、内側構造体６９の機体右横側の下部に、防塵カバー用の受止めフレーム７２が備えられている。
【００５０】
外側構造体７０は、機体上下向き姿勢の前支柱フレーム７３と後支柱フレーム７４、及び、機体前後向き姿勢の上部連結体７５と下部連結体７６とにより矩形枠状に形成され、それらによって囲われる状態で開口７７が形成されている。
【００５１】
この外側構造体７０の上部が吸気口フレーム７１に着脱自在にボルト連結されている。又、外側構造体７０の下部連結体７６の下部に設けた角筒材７６Ａに固定したブラケット７８と、車体フレーム６における角筒状の前後向きフレーム材６ａに取り付けた支持部材７９とが、着脱自在にボルト連結されている。
【００５２】
図１１に示すように、外側構造体７０は、上部側及び下部側の夫々における連結ボルトによる連結を解除することにより、内側構造体６９と分離させて車体フレーム６から取り外せるようになっている。
【００５３】
つまり、エンジン及びラジエータ６５まわりを点検や清掃するなど、エンジンボンネット６４の内部に対するメンテナンスを行う場合、防塵カバーをエンジンボンネット６４から取外したのち、外側構造体７０を内側構造体６９と分離させて取外すことにより、ラジエータ６５の機体横外側が大きく開放される。そこで、開いたエンジンボンネット開口からラジエータ６５をラジエータ支持体６７と共に機体横外側に取出すことにより、メンテナンス作業を行なうことができる。
【００５４】
このように外側構造体７０が取外し可能に取り付けられる構成において、外側構造体７０と内側構造体６９との個体差により組み付け誤差が発生しても、外側構造体７０の車体フレーム６に対する組み付けを良好に行えるように、ボルト連結箇所に融通が形成されている。
【００５５】
すなわち、図１２，１３に示すように、前後向きフレーム材６ａに対して、外側構造体７０の下端側を受止め支持する支持部材７９が、前後方向並びに上下方向の夫々に位置変更調整自在に取り付けられている。支持部材７９は、側面視で略Ｕ字状に形成された受止め体８０と、受止め体８０の機体内方側端部に一体的に連結された縦向き連結体８１とを備えている。受止め体８０に形成されたボルト挿通孔８２を通して挿通する連結ボルト８３により、外側構造体７０側のブラケット７８と受止め体８０とを連結固定し、縦向き連結体８１に形成されたボルト挿通孔８４を通して挿通する連結ボルト８５により、前後向きフレーム材６ａに一体固定された取付板８６と縦向き連結体８１とを連結固定する。
【００５６】
受止め体８０に形成されたボルト挿通孔８２が前後方向に長い長孔として形成され、縦向き連結体８１に形成されたボルト挿通孔８４が左右方向に長い長孔として形成されている。従って、外側構造体７０は、前後向きフレーム材６ａに対して、上下方向並びに前後方向の夫々に相対的に位置調節可能な状態で連結固定することができ、組み付け誤差があっても、外側構造体７０の車体フレーム６に対する組み付けを良好に行える。
【００５７】
〔刈取搬送部〕
次に、刈取搬送部２について説明する。
図１に示すように、刈取搬送部２は、機体走行に伴って植付作物を刈取って刈幅方向中央部に寄せ集める刈取ヘッダ９０と、刈取対象作物である収穫対象穀稈を後方に向けて掻き込む回転リール９１と、刈取ヘッダ９０にて刈り取られた刈取穀稈を機体後方の脱穀装置３に向けて搬送するフィーダ９２とを備えている。そして、この刈取搬送部２は、図示しない油圧シリンダにより横軸芯Ｐ１周りで昇降揺動自在に支持されている。
【００５８】
図４，５に示すように、刈取ヘッダ９０は、収穫対象の植立作物と収穫対象外の非刈取対象作物（未刈作物）とに梳き分ける左右一対のデバイダ９３、収穫対象の植立作物の株元側を切断するバリカン形の刈取装置９４、切断後の刈取穀稈を左右方向の中央側の所定箇所に寄せ集め後方に向けて送り出す横送りオーガ９５等が、刈取フレーム９６にて支持される状態で備えられている。
【００５９】
刈取フレーム９６は、フィーダ９２の前部に一体的に昇降自在に連結された後部壁部９７と、後部壁部９７の左右両側に連結された左右両側の側壁部９８とを備えている。左右の側壁部９８は、側面視略三角形状に形成されており、左右一対のデバイダ９３は、左右両側の側壁部９８夫々の前部に連なるように側面視で略三角形状に形成されている。
【００６０】
図４，８に示すように、側壁部９８の上部には、上下方向並びに前後方向夫々に幅広の案内面を有するガイド板９９が備えられている。このガイド板９９の前部側の上縁部９９ａは、デバイダ９３の後端部の上端箇所から連なる状態で後方上方に向けて延びるように形成され、後部側の上縁部９９ｂは前後方向に沿って略同じ高さとなるように形成されている。
【００６１】
ガイド板９９の下部には正面視で略Ｌ形に折り曲げた取付部９９ｃが形成され、図８に示すように、この取付部９９ｃを側壁部９８の上面に複数箇所をボルト連結することにより固定されている。取付部９９ｃには、回転リール９１を昇降操作する油圧シリンダ１００が挿通するための切欠１０１が形成されている。又、側壁部９８の上面には油圧シリンダ１００が挿通するための挿通孔１０２が形成されている。
【００６２】
刈取装置９４は、左右の側壁部９８夫々の下部同士にわたって架設支持される状態で備えられている。この刈取装置９４により、左右の側壁部９８で囲まれる刈取作業領域の範囲にある植立作物の株元を切断して、植立作物を刈り取ることができる。
【００６３】
〔回転リール〕
回転リール９１について説明する。
図４，５，６，８に示すように、回転リール９１は、横向きの回転支軸１０３と、回転支軸１０３から径方向に離間するとともに周方向に間隔をあけて備えられた６個の横向き長尺状の保持部材１０４と、保持部材１０４に装着された複数の掻き込み爪１０５と、横方向両側端部にて回転支軸１０３と各保持部材１０４とを連結する６個の連結アーム１０６とを備えている。
【００６４】
この回転リール９１は、油圧シリンダ１００により上下高さ位置を変更調整自在に設けられている。すなわち、回転リール９１の左右両側に左右一対の支持アーム１０７が備えられている。刈取フレーム９６の後部壁部９７における上部側箇所に、横方向に延びる回動支点軸１０８が備えられており、この回動支点軸１０８の左右両側部に左右両側の支持アーム１０７の後端部が横軸芯Ｐ２周りで回動自在に支持されている。一対の支持アーム１０７は、前方に向けて延設され、前部側の揺動端部において、回転支軸１０３の左右両側部を回転自在に支持している。又、左右両側の支持アーム１０７の途中部と左右両側の側壁部９８の上下中間部との間に夫々、油圧シリンダ１００が枢支連結されている。この油圧シリンダ１００を操作することで、支持アーム１０７を上下揺動させて回転リール９１の高さを変更調整することができる。
【００６５】
６個の保持部材１０４は夫々、丸パイプ材にて構成され、各保持部材１０４には、長手方向に間隔をあけて掻き込み爪１０５が備えられている。夫々の保持部材１０４は、横方向両側端部において連結アーム１０６を介して回転支軸１０３に支持されている。複数の連結アーム１０６は径方向内方側のボス部１０９にて一体的に連結されており、ボス部１０９から放射状に外方に向けて延設される構成となっている。つまり、径方向内方側のボス部１０９から放射状に径方向外方に６個の連結アーム１０６が一体的に延設されて、６個の保持部材１０４を支持するための側部回転体１１０が構成されている。回転支軸１０３の回転に伴って、左右両側の側部回転体１１０と６個の保持部材１０４とが一体的に回動する。
【００６６】
図示はしないが、６個の保持部材１０４は夫々、連結アーム１０６に対して相対回動自在に支持されている。そして、回転リール９１の右側端部には、回転支軸１０３の回転に伴って、保持部材１０４に備えられた掻き込み爪１０５が常に下向き姿勢を維持するように、保持部材１０４の回動位相を保持するための周知構造の姿勢保持機構１１１が備えられている。この姿勢保持機構１１１について簡単に説明すると、右側の側部回転体１１０と同様な構成の回転体１１２を回転軸芯を前後に少しずらした状態で備え、それらの回転体１１２と側部回転体１１０における、保持部材１０４に対応する頂部同士をリンク１１３で枢支連結する。つまり、偏芯した夫々の回転軸芯とリンク１１３の両側連結点の夫々により平行四連リンクを構成する。回転支軸１０３に動力が伝達されて回転すると、リンク１１３が同じ姿勢を維持するので、保持部材１０４とリンク１１３とを連結することで、保持部材１０４の回動位相を略一定の位相に保持して掻き込み爪１０５が下向き姿勢を維持することができる。
【００６７】
図４，６に示すように、左右両側の側部回転体１１０のうち刈取作業中において未刈作物が位置する未刈側すなわち、左側に位置する側部回転体１１０における複数の連結アーム１０６同士の間の隙間を覆うカバー部材１１４が備えられている。カバー部材１１４は、複数の連結アーム１０６の夫々の隙間を覆うように全周にわたって設けられている。このカバー部材１１４は、透過性を有する合成樹脂材からなり、搭乗運転部８にて運転操作している運転者が、カバー部材１１４の左側外方も目視で確認できるようになっている。
このようなカバー部材１１４を備えることにより、植立作物の茎葉部分が回転リール９１の連結アーム１０６の隙間に入り込んで絡み付くのを防止することができる。
【００６８】
〔分草部材〕
図２，４，５，８に示すように、左右一対のデバイダ９３のうち左側（未刈領域側）のデバイダ９３の上方に位置する状態で、上下方向並びに前後方向夫々に幅広の案内面を有する分草部材１１５が備えられている。具体的には、分草部材１１５は平面視で左側のデバイダ９３と重複する状態でそのデバイダ９３の上方に備えられる。
【００６９】
分草部材１１５は、その外周縁部が、一連に連なる状態で屈曲形成された丸パイプ材１１６にて形成され、その丸パイプ材１１６にて囲われる領域に透過性の合成樹脂材からなる案内板１１７が備えられている。
【００７０】
説明を加えると、図４に示すように、丸パイプ材１１６は、その長手方向の一端部が左側のデバイダ９３の下部にボルト連結にて固定されている。そして、丸パイプ材１１６は、図４，７に示すように、デバイダ９３への連結箇所から前方に延びる第１経路部分１１６Ａ、第１経路部分１１６Ａの前端部から斜め方向に前方上方に延びる第２経路部分１１６Ｂ、第２経路部分１１６Ｂの上端部から斜め方向に後方上方に延びる第３経路部分１１６Ｃ、第３経路部分１１６Ｃの上端部から斜め方向に後方下方に延びる第４経路部分１１６Ｄ、第４経路部分１１６Ｄの下端部からさらに斜め方向に後方上方に延びる第５経路部分１１６Ｅ（ガイド部材）が夫々形成されている。又、第１経路部分１１６Ａの前端部と第４経路部分１１６Ｄの下端部とにわたって補強部材１１８が架設連結されている。第１経路部分１１６Ａにおける補強部材１１８が連結される箇所よりも少し後側に、平面視で二股状に形成された係合部１１９が備えられている。この係合部１１９は、デバイダ９３の先端部に係合され、分草部材１１５が作物に押されて横方向に変位することを防止するようにしている。
【００７１】
第２経路部分１１６Ｂ、第３経路部分１１６Ｃ、第４経路部分１１６Ｄ、及び、補強部材１１８の夫々によって囲われる側面視略菱形の領域に案内板１１７が備えられている。案内板１１７は、第２経路部分１１６Ｂ、第３経路部分１１６Ｃ、第４経路部分１１６Ｄに備えられた取付ブラケット１２０，１２１，１２２及び、補強部材１１８の夫々にボルト連結にて固定されている。この案内板１１７により上下方向並びに前後方向夫々に幅広の案内面を形成している。すなわち、分草部材１１５が側面視略菱形に形成されている。
【００７２】
丸パイプ材１１６の長手方向の他端部、すなわち、第５経路部分１１６Ｅの後端部は、前後方向に移動自在に且つ横方向の移動が阻止される状態で、ガイド板９９の左側面に備えられた係止具１２３に係止されている。即ち、第５経路部分１１６Ｅは、分草部材１１５の後部とガイド板９９とに亘るガイド部材として備えられている。従って、分草部材１１５は、デバイダ９３に対してのみ固定されているので、デバイダ９３の側壁部９８に対する上下傾斜姿勢を変更調整するときに、分草部材１１５がデバイダ９３の姿勢変更を阻害することがない。
【００７３】
分草部材１１５は、図４に示すように、機体を走行させながら刈取ヘッダ９０が植立作物を刈り取る刈取作業状態において、その機体前部側端縁Ｔのうち上下中間部Ｔ１が上下両側端部Ｔ２，Ｔ３よりも前方へ突出するように設けられている。第２経路部分１１６Ｂと第３経路部分１１６Ｃとにより機体前部側端縁Ｔが形成され、第２経路部分１１６Ｂと第３経路部分１１６Ｃとの接続箇所が機体前部側端縁Ｔのうち上下中間部Ｔ１に対応しており、第２経路部分１１６Ｂの下端部が機体前部側端縁Ｔの下側端部Ｔ２に対応し、第３経路部分１１６Ｃの上端部が機体前部側端縁Ｔの上側端部Ｔ３に対応している。第２経路部分１１６Ｂと第３経路部分１１６Ｃとの接続箇所が、第２経路部分１１６Ｂの下端部及び第３経路部分１１６Ｃの上端部よりも前方へ突出する状態となっている。
【００７４】
分草部材１１５は、側面視において、回転リール９１の前端部と重複する高い位置にまで延びている。このように高い位置にまで延びるとともに、前後方向にも広い範囲にわたって案内面が形成され、絡み合った作物に対して広い範囲で梳き分けるように作用して良好に絡み合いを解除して分離させることができる。
【００７５】
分草部材１１５における案内板１１７は、透過性を有する合成樹脂材からなり、搭乗運転部８にて運転操作している運転者が、分草部材１１５の左側外方も目視で確認できるようになっている。このようにして、刈取作業中において、作業状況を目視で確認しながら、植立作物同士の絡み合いの解除作業を行い易いものとなる。
【００７６】
図２，４，５に示すように、分草部材１１５及び刈取ヘッダ９０よりも横方向外方側箇所において、側面視にて刈取ヘッダ９０よりも上方側に位置する状態で、且つ、分草部材１１５の前部側箇所から刈取ヘッダ９０の後部側箇所にまで延びる状態で、未刈作物を分草案内する分草杆１２４が備えられている。この分草杆１２４は、上下方向に位置を異ならせて２個備えられている。
【００７７】
分草杆１２４は、直線状の棒体からなり、前端部が第２経路部分１１６Ｂに備えられた取付ブラケット１２０に連結されている。分草杆１２４の後端部は、係止具１２５により前後方向へのスライド移動が許容される状態で且つ上下方向並びに左右方向への移動が阻止される状態で支持されている。係止具１２５は、回転リール９１を昇降自在に支持するための回動支点軸１０８に支持された支持部材１２６に備えられている。
【００７８】
図９に示すように、支持部材１２６は、円筒状の連結支持体１２７と、連結支持体１２７に連結された連結用フランジ部１２８と、連結支持体１２７の左側端部に固定された断面Ｌ形の取付板１２９と、取付板１２９に上下２箇所に連結された上下一対の係止具１２５とを備えている。
【００７９】
連結支持体１２７は回動支点軸１０８の左側端部に嵌合装着してある。回動支点軸１０８は、円筒形状に設けられるとともに、左側端部が開放されており、円筒状の開口が形成されている。そこで、この開口に円筒状の連結支持体１２７を嵌め込み装着する。又、連結用フランジ部１２８と左側の支持アーム１０７に固定された被取付板１３０とをボルト連結して、連結支持体１２７が回動支点軸１０８から抜け外れすることを阻止している。連結支持体１２７が固定支持されると、取付板１２９は長手方向が上下方向に向く状態で備えられる。この取付板１２９の外方側の側面に横外側方に向けて突出する状態で、且つ、上下方向に離間する状態で２つの係止具１２５が備えられている。
【００８０】
係止具１２５は、図示はしないが、分草杆１２４の後端部の上下方向並びに左右方向への移動を阻止する状態で、前後方向へのスライド移動を許容すべく、分草杆１２４が前後方向にスライド自在に挿通する挿通孔を備えている。
【００８１】
連結支持体１２７は、装着状態において、刈取ヘッダ９０の左側端部から左側外方に大きく突出しており、係止具１２５は刈取ヘッダ９０の左側端部から左方向に離間した位置に備えられる。従って、分草杆１２４は、後方側ほど左外側方に向かう斜め傾斜姿勢に設けられている。このように構成することで、分草杆１２４は、未刈作物を刈取ヘッダ９０から横外方に引き離すことになり、茎葉同士が絡み合った刈取対象作物と未刈作物とを分離させる作用を発揮する。
【００８２】
〔別実施形態〕
（１）上記実施形態では、分草部材１１５が側面視略菱形に形成されるものを示したが、この構成に限らず、分草部材１１５が、側面視円形に形成されるもの、側面視矩形状に形成されるものなど種々の形態で実施してもよい。又、機体前部側端縁Ｔのうち上下中間部Ｔ１が上下両側端部Ｔ２，Ｔ３よりも前方へ突出するように設けられるものに限らず、上側端部Ｔ３が最も前方へ突出する形態、あるいは、下側端部Ｔ２が最も前方へ突出する形態等であってもよい。
【００８３】
（２）上記実施形態では、分草部材１１５は、一端部がデバイダにボルト連結され、他端部が前後方向に移動自在に且つ横方向の移動が阻止される状態で、ガイド板９９の左側面に備えられた係止具１２３に係止される構成としたが、このような構成に代えて、デバイダにのみ片持ち状にボルト連結される構成、デバイダと一体形成される構成、刈取フレーム９６の左側の側壁部９８に連結固定される構成等、種々の支持構造を採用することができる。
【００８４】
（３）上記実施形態では、分草部材１１５は、平面視でデバイダ９３と重複する状態でデバイダ９３の上方に備えられる構成としたが、分草部材１１５は、平面視でデバイダ９３に対して少し偏移した状態でデバイダ９３の上方に位置させるようにしてもよい。
【００８５】
（４）上記実施形態では、透過性を有するものとして、透過性の合成樹脂材からなる案内板１１７を備える構成としたが、このような構成に代えて、例えば、網状体、格子状の部材、柵状の部材を用いて透過性を備える構成としてもよい。又、分草部材１１５が透過性を有する材質にて構成されるものに代えて、分草部材１１５が透過性を有しないものであってもよい。
【００８６】
（５）上記実施形態では、分草部材１１５が、折り曲げ形成された丸パイプ材１１６と、合成樹脂材からなる案内板１１７とで構成したものを示したが、このような構成に代えて、分草部材１１５が、剛性の高い板体（樹脂材あるいは金属材等）にて一体的に形成されるものでもよい。
【００８７】
（６）上記実施形態では、分草部材１１５が、側面視において、回転リール９１の前端部と重複する位置まで延びているものを示したが、回転リール９１の前端部よりも低位置に設けられるものでもよい。
【００８８】
（７）上記実施形態では、回転リール９１に透過性を有する合成樹脂材からなるカバー部材１１４を備える構成としたが、カバー部材１１４は、透過性を有するものとして、例えば、網状体、格子状の部材、柵状の部材を用いて透過性を備える構成としてもよい。又、カバー部材１１４が透過性を有しないものでもよく、このようなカバー部材１１４を備えない構成としてもよい。
【００８９】
（８）上記実施形態では、未刈作物を分草案内する分草杆１２４を２本備えるようにしたが、分草杆１２４を３個以上備えるもの、あるいは１個だけ備えるものでもよく、又、このような分草杆１２４を備えない構成としてもよい。
【００９０】
（９）上記実施形態では、回転リール９１における複数の保持部材１０４を支持する連結アーム１０６が、径方向内方側に位置するボス部１０９に連結されて一体的に側部回転体１１０を形成するものを示したが、この構成に代えて、複数の連結アーム１０６が夫々独立して設けられ、回転支軸１０３と複数の保持部材１０４とを夫々各別に連結する構成としてもよい。
【００９１】
（１０）上記実施形態では、回転リール９１が６本の保持部材１０４を備える構成、すなわち、側面視六角形のリール形状としたが、６本に限らず、５本以下の保持部材１０４を備える構成、すなわち、側面視五角形のリール形状、側面視四角形のリール形状等、あるいは、７本以上の保持部材１０４を備える構成、すなわち、側面視七角形等のリール形状としてもよい。
【００９２】
（１１）上記実施形態では、揚送コンベヤ２６が油圧モータ５６により回転駆動される構成としたが、このような構成に代えて、一番搬送スクリュー２５の回転動力を利用して揚送コンベヤ２６を回転駆動する構成としてもよい。尚、揚送コンベヤ２６の無端回動チェーン５３の回動方向は一番搬送スクリュー２５の回転方向と反対方向に回転駆動する必要がある。例えば、以下に記載するような構成である。
【００９３】
すなわち、図２１，２２に示すように、揚送コンベヤ２６における搬送ケース５１の前部側に、上下伝動機構１３１を備えている。上下伝動機構１３１は、下部プーリ１３２と、それにベベルギア機構１３３を介して連動連結された縦向き伝動軸１３４と、縦向き伝動軸１３４の上端部とベベルギア機構１３５を介して連動連結された上部プーリ１３６と備えている。一番搬送スクリュー２５の回転軸２５ａが、揚送コンベヤ２６の搬送ケース５１を挿通して右側外方に突出形成され、その突出部に備えられたプーリ１３７と上下伝動機構１３１の下部プーリ１３２とを伝動ベルト１３８で連動連結する。
【００９４】
上部プーリ１３６と揚送コンベヤ２６の上部側の駆動軸５４に備えられたプーリ１３９とを伝動ベルト１４０で連動連結するとともに、駆動軸５４に駆動スプロケット５５が備えられる。又、揚送コンベヤ２６の下部側の従動スプロケット１４１が一番搬送スクリュー２５の回転軸２５ａに相対回転自在に外嵌装着され、駆動スプロケット５５と従動スプロケット１４１とにわたって無端回動チェーン５３が巻回されている。
【００９５】
このように構成することで、一番搬送スクリュー２５の回転動力を利用するとともに、一番搬送スクリュー２５の回転方向と反対方向に揚送コンベヤ２６を回転させることができる。
【産業上の利用可能性】
【００９６】
本発明は、機体前部に植立作物を刈り取る刈取ヘッダが備えられた普通型コンバインに適用できる。
【符号の説明】
【００９７】
９０        刈取ヘッダ
９１        回転リール
９３        デバイダ
９４        刈取装置
１０３      回転支軸
１０４      保持部材
１０５      掻き込み爪
１０６      連結アーム
１１４      カバー部材
１１５      分草部材
１２４      分草杆
Ｔ          機体前部側端縁
Ｔ１        上下中間部
Ｔ２，Ｔ３  上下両側端部
【図１】
0006265880.tif 000002
【図２】
0006265880.tif 000003
【図３】
0006265880.tif 000004
【図４】
0006265880.tif 000005
【図５】
0006265880.tif 000006
【図６】
0006265880.tif 000007
【図７】
0006265880.tif 000008
【図８】
0006265880.tif 000009
【図９】
0006265880.tif 000010
【図１０】
0006265880.tif 000011
【図１１】
0006265880.tif 000012
【図１２】
0006265880.tif 000013
【図１３】
0006265880.tif 000014
【図１４】
0006265880.tif 000015
【図１５】
0006265880.tif 000016
【図１６】
0006265880.tif 000017
【図１７】
0006265880.tif 000018
【図１８】
0006265880.tif 000019
【図１９】
0006265880.tif 000020
【図２０】
0006265880.tif 000021
【図２１】
0006265880.tif 000022
【図２２】
0006265880.tif 000023